(57)【要約】【課題】従来の装飾部材では得ることができなかった、独創的で斬新な印象を与える室内空間を創設することを可能とした壁構造を提案する。【解決手段】正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造１であって、長辺の長さが、略１間の１／３である第一装飾部材１１と、長辺の長さが略１間の１／２である第二装飾部材１２と、を複数壁本体に固定することにより構成され、前記第一装飾部材を横方向に３枚並べた段と、前記第二装飾部材を横方向に２枚並べた段と、を交互に配置することより千鳥状の凹凸が構成されていることを特徴とする。【選択図】図１
2008144356.tif 000002
【特許請求の範囲】
【請求項１】
正面視で、長辺と短辺とからなる横長の矩形形状に形成されていて、
かつ、上下方向から臨む横断面形状の表面側が凸の円弧に形成された装飾部材であって、
前記円弧の曲率半径が、２〜６ｍの範囲内であることを特徴とする、装飾部材。
【請求項２】
前記長辺の方向に沿って木目が形成されていることを特徴とする、請求項１に記載の装飾部材。
【請求項３】
前記上下方向から臨む横断面形状における部材厚の最も厚い部分が、前記長辺の中心からずれた位置に配置されていることを特徴とする、請求項１または請求項２に記載の装飾部材。
【請求項４】
正面視で正方形形状に形成されていて、
上下方向および左右方向の断面形状の表面側が凸の円弧に形成された木製の装飾部材であって、
前記円弧の曲率半径が、２〜６ｍの範囲内であることを特徴とする、装飾部材。
【請求項５】
正面視で、長辺と短辺とからなる横長の矩形形状に形成されていて、
かつ、上下方向から臨む横断面形状の表面側に複数の凸の円弧が形成された装飾部材であって、
前記円弧の曲率半径が、２〜６ｍの範囲内であることを特徴とする、装飾部材。
【請求項６】
請求項１乃至請求項３のいずれか１項に記載の装飾部材であって、長辺の長さが、略１間の１／３である第一装飾部材と、長辺の長さが略１間の１／２である第二装飾部材と、
を複数壁本体に固定することにより構成された壁構造であって、
前記第一装飾部材を横方向に３枚並べた段と、前記第二装飾部材を横方向に２枚並べた段と、を交互に配置することより千鳥状の凹凸が構成されていることを特徴とする、壁構造。
【請求項７】
前記第二装飾部材の上下方向から臨む縦断面形状における部材厚の最も厚い部分の横方向の位置が、該第二装飾部材の上下に配置された前記第一装飾部材の上下方向から臨む縦断面形状における部材厚の最も厚い部分の横方向の位置と一致することを特徴とする、請求項６に記載の壁構造。
【発明の詳細な説明】
【技術分野】
【０００１】
本発明は、建築物の壁等の化粧部材として使用される装飾部材およびこの装飾部材を利用した壁構造に関する。
【背景技術】
【０００２】
建築物の居住空間は、内部に配置される家具等の他に、天井、壁、床等のデザインにより、その雰囲気が左右される。
【０００３】
壁による居住空間への影響は、壁自体の形状とともに、壁紙や仕上げ材等のデザインによる影響が大きい。
例えば、壁の表面を木材により構成することで、利用者は温かみや安らぎを感じることが可能となる。そのため、利用者の好みに応じた居住空間を演出することを目的として、木材により構成された壁の仕上げ材である装飾部材が多数開発されている。
【０００４】
従来の装飾部材として、特許文献１には、丸太半筒体からなる装飾部材を、建築物の壁に固定することによりログハウス風の壁を構成することが開示されている。この装飾部材によれば、建物自体を丸太により構成し、ログハウスを構築する必要はなく、建物のごく一部の空間をログハウス風に構成することが可能となる。
【特許文献１】特開平６−３４６５７０号公報
【発明の開示】
【発明が解決しようとする課題】
【０００５】
従来、装飾部材は、平坦な板状部材により構成されているか、ログハウス風の小さい半径の曲率による円弧状に形成されたものが主流であった。
【０００６】
前者の平坦な板状の装飾部材は、装飾部材そのものの材質や形状等のデザインまたは付加された模様等から直接受ける印象しか得ることができず、時間帯や季節の移り変わりによる印象の変化に乏しく、単調な印象を得るものであった。
【０００７】
一方、ログハウス風の小さい曲率半径からなる装飾部材は、通常、縦方向に円弧が形成され、光の角度や明るさなどにより、影が形成されることで、デザインの変化が感じられることが可能である。ところが、この装飾部材により構成された壁は、その凹凸もはっきりしている。そのため、構成される縦方向の影の明暗がはっきり形成されてしまい、比較的変化に乏しく、単調なかたい印象を与えるものであった。
【０００８】
本発明は、前記従来の装飾部材では得ることができなかった、独創的で斬新な印象を与え、安らぎを演出でき、印象の変化を楽しむことができる室内空間を創設することを可能とした装飾部材およびこの装飾部材を利用した壁構造を提案することを課題とする。
なお、本明細書において、「壁」とは、あらゆる壁を含むものとし、例えば、構造材としての壁や、居住区間を区分けする仕切り壁や、パーティション等も含むものとする。
【課題を解決するための手段】
【０００９】
前記の課題を解決するために、請求項１に記載の発明は、正面視で、長辺と短辺とからなる横長の矩形形状に形成されていて、かつ、上下方向から臨む横断面形状の表面側が凸の円弧に形成された装飾部材であって、前記円弧の曲率半径が、２ｍ〜６ｍの範囲内であることを特徴としている。
【００１０】
かかる装飾部材によれば、円弧の曲線半径を比較的大きな２ｍ〜６ｍとすることで、独創的で斬新な印象を与え、光と影のコントラストを演出することを可能としている。また、木材により構成されていれば、フィトンチッドを多量に含んでおり、装飾部材からの香により居住者が癒される。また、木材の肌触りが居住者の感触にもなじむため、建物全体に使用しなくても、部分的な使用により、居住者に安らぎを与えることが可能となる。
【００１１】
すなわち、曲率半径を、２ｍ〜６ｍ、好ましくは３ｍ〜５ｍ、より好ましくは４ｍ〜４．５ｍの範囲内に設定したことで、曲率半径が数十ｃｍに形成された従来のログハウス風の装飾部材と比較して、例えば、窓からさし込む光により陰影が横方向に沿って濃い部分から薄い部分まで緩やかに変化するため、斬新な印象を与えることができる。また、自然光を利用することで時間帯や季節の移り変わりによる好印象の変化を楽しむことができる。また、なだらかな曲率の曲面構成による安らぎを演出することも可能となる。
【００１２】
また、請求項２に記載の発明は、請求項１に記載の装飾部材であって、長辺の方向に沿って木目が形成されていることを特徴としている。
かかる装飾部材は、円弧の周方向に沿って木目が形成されるのに対し、従来の丸太半筒体に形成された木目は円弧の周方向に直交する方向に沿って木目が現れる点で相違する。このため、表面に現れた木目により、独創的な印象を与えることができる。
【００１３】
さらに、請求項３に記載の発明は、請求項１または請求項２に記載の装飾部材であって、前記上下方向から臨む横断面形状における部材厚の最も厚い部分が、前記長辺の中心からずれた位置に配置されていることを特徴としている。
かかる装飾部材は、部材厚の最も厚くなる位置を、部材の中心からずらすことで、より独創的な印象を与える。
【００１４】
また、請求項４に記載の発明は、正面視で正方形形状に形成されていて、上下方向および左右方向の断面形状は、背面側が直線であるとともに、表面側が凸の円弧に形成された木製の装飾部材であって、前記円弧の曲率半径が、２ｍ〜６ｍの範囲内であることを特徴としている。
【００１５】
かかる装飾部材は、上下方向、左右方向に曲率を設けたことで、より多様な光と影のコントラストを演出することができ、安らぎを与え、印象の変化を楽しむことができる室内空間を創設することが可能となる。また、曲率半径を、２ｍ〜６ｍ、好ましくは３ｍ〜５ｍ、より好ましくは４ｍ〜４．５ｍの範囲内に設定したことで、なだらかな曲率の曲面構成による安らぎを演出することも可能となる。
【００１６】
また、請求項５に記載の発明は、正面視で、長辺と短辺とからなる横長の矩形形状に形成されていて、かつ、上下方向から臨む横断面形状の表面側に複数の凸の円弧が形成された装飾部材であって、前記円弧の曲率半径が、２〜６ｍの範囲内であることを特徴としている。
【００１７】
かかる装飾部材は、壁に設置されることにより、簡易に表面に連続した凹凸が形成された壁を構成することが可能となる。また、各凸の円弧は、一体の部材に連続して形成されているため、時間の経過とともに生じる、装飾部材の収縮などにより、円弧同士の間に隙間が形成されるような不具合が生じることがない。また、曲率半径を、２ｍ〜６ｍ、好ましくは３ｍ〜５ｍ、より好ましくは４ｍ〜４．５ｍの範囲内に設定された凸の円弧を複数、横方向に連続して形成したことで、曲率半径が数十ｃｍに形成された従来のログハウス風の装飾部材と比較して、例えば、窓からさし込む光により陰影が横方向に沿って濃い部分から薄い部分まで緩やかに変化するため、斬新な印象を与えることができる。また、自然光を利用することで時間帯や季節の移り変わりによる好印象の変化を楽しむことができる。また、なだらかな曲率の曲面構成による安らぎを演出することも可能となる。
【００１８】
また、請求項６に記載の発明は、請求項１乃至請求項３のいずれか１項に記載の装飾部材であって、長辺の長さが、略１間の１／３である第一装飾部材と、長辺の長さが略１間の１／２である第二装飾部材と、を複数壁本体に固定することにより構成された壁構造であって、前記第一装飾部材を横方向に３枚並べた段と、前記第二装飾部材を横方向に２枚並べた段と、を交互に配置することより千鳥状の凹凸が構成されていることを特徴としている。
かかる壁構造は、装飾部材の長辺の長さを、壁の幅形状に合わせて規格化しておくことにより、壁構造の端面をそろえることが可能となり、施工が容易である。
【００１９】
さらに請求項７に記載の発明は、請求項６に記載の壁構造であって、前記第二装飾部材の上下方向から臨む縦断面形状における部材厚の最も厚い部分の横方向の位置が、該第二装飾部材の上下に配置された前記第一装飾部材の上下方向から臨む縦断面形状における部材厚の最も厚い部分の横方向の位置と一致することを特徴としている。
かかる壁構造は、壁構造の左右両端の曲面が上下方向で一致しているため、調和のとれた優れた景観をかもし出す。
【発明の効果】
【００２０】
本発明の装飾部材およびこの装飾部材を利用した壁構造によれば、従来の装飾部材では得ることができなかった、独創的で斬新な印象を与え、安らぎを演出でき、印象の変化を楽しむことができる室内空間を創設することが可能となる。
【発明を実施するための最良の形態】
【００２１】
本発明の好適な実施の形態について、図面を参照して説明する。なお、説明において、同一要素には同一の符号を用い、重複する説明は省略する。
ここで、図１は、第１の実施形態に係る壁構造を示す斜視図である。図２は、図１に示す壁構造に使用される第一装飾部材を示す図であって、（ａ）は正面図、（ｂ）は斜視図である。図３は、図１に示す壁構造に使用される第二装飾部材を示す図であって、（ａ）は正面図、（ｂ）は斜視図である。図４は、第２の実施形態に係る壁構造を示す斜視図である。図５は、図４に示す壁構造に使用される装飾部材を示す図であって、（ａ）は正面図、（ｂ）は斜視図、（ｃ）は側面図である。さらに、図６は、第１の実施形態に係る装飾部材の変形例を示す図であって、（ａ）は断面図、（ｂ）は斜視図である。
【００２２】
以下、第１の実施形態について説明する。
第１の実施形態に係る壁構造１は、図１に示すように、建築物の内壁Ｗの表面に複数の装飾部材１０を貼り付けることにより、構成されている。
【００２３】
この壁構造１は、第一装飾部材１１を横方向に３枚並べた段と、第二装飾部材１２を横方向に２枚並べた段と、を交互に配置することより千鳥状の凹凸が構成されている。
【００２４】
第一装飾部材１１は、図２（ａ）に示すように、正面視で、横長の矩形形状に形成された、木製の部材である。第１の実施形態では、第一装飾部材１１を構成する材料として、檜からなる無垢材を使用するものとするが、第一装飾部材１１を構成する材料は限定されるものではなく、例えば、杉、松、楢等、あらゆる木材が使用可能である。また、第一装飾部材１１は、無垢材に限定されるものではなく、集成材を使用してもよい。
【００２５】
図２（ｂ）に示すように、第一装飾部材１１の上下方向から臨む横断面形状は、背面Ｂ側が直線であるとともに、表面Ａ側が凸の円弧に形成されている。この円弧の曲率半径は、４．２ｍに構成されている。なお、第一装飾部材１１は、表面Ａに形成された円弧により、長辺１１ａ方向の中央における部材厚が、最も厚くなるように形成されている。ここで、第一装飾部材１１の表面Ａに形成される円弧の曲率半径は、４．２ｍに限定されるものではなく、２ｍ〜６ｍ、好ましくは３ｍ〜５ｍ、より好ましくは４ｍ〜４．５ｍの範囲内で適宜構成すればよい。
一方、左右方向から臨む横断面形状は、矩形を呈している。
【００２６】
また、第一装飾部材１１の長辺１１ａの長さは、約６０ｃｍ（略１間の１／３程度）に形成されており、短辺１１ｂの長さは、約１５ｃｍに形成されている。なお、長辺１１ａと短辺１１ｂとの長さの関係は、限定されるものではないが、好ましくは、長辺１１ａの長さが短辺１１ｂの長さの２〜１５倍、より好ましくは３〜５倍の長さであるのが望ましい。
【００２７】
第一装飾部材１１は、材木の縦方向（木が生えた状態で上下方向）に曲線が形成されるように加工が施されることで、長辺１１ａの方向（横方向）に沿って、木目１１ｃが現れるように構成されている。
【００２８】
第二装飾部材１２は、図３（ａ）に示すように、正面視で、横長の矩形形状に形成された、木製の部材である。第１の実施形態では、第二装飾部材１２を構成する材料として、前記第一装飾部材１１と同様のものを使用するが、第一装飾部材１１と第二装飾部材１２とに、それぞれ異なる材料を使用してもよい。
【００２９】
図３（ｂ）に示すように、第二装飾部材１２の上下方向から臨む横断面形状は、背面Ｂ側が直線であるとともに、表面Ａ側が凸の円弧に形成されている。この円弧の曲率半径は、第一装飾部材１１と同様に、４．２ｍに構成されている。ここで、第二装飾部材１２の表面Ａに形成される円弧の曲率半径は、４．２ｍに限定されるものではなく、２ｍ〜６ｍ、好ましくは３ｍ〜５ｍ、より好ましくは４ｍ〜４．５ｍの範囲内で、適宜構成すればよい。
一方、左右方向から臨む横断面形状は、矩形を呈している。
【００３０】
また、第二装飾部材１２の長辺１２ａの長さは、約９０ｃｍ（略１間の１／２程度）に形成されており、短辺１２ｂの長さは、約１５ｃｍに形成されている。なお、長辺１２ａと短辺１２ｂとの長さの関係は、限定されるものではないが、好ましくは、長辺１２ａの長さが、短辺１２ｂの長さの２〜１５倍、より好ましくは３〜５倍の長さとなるのが望ましい。
【００３１】
第二装飾部材１２は、材木の縦方向（木が生えた状態で上下方向）に曲線が形成されるように加工が施されることで、長辺１２ａの方向（横方向）に沿って、木目１２ｃが現れるように構成されている。
【００３２】
図１に示すように、壁構造１における、第二装飾部材１２の上下方向から臨む縦断面形状における部材厚の最も厚い部分の横方向（長辺方向）の位置は、第一装飾部材１１の上下方向から臨む縦断面形状における部材厚の最も厚い部分の横方向（長辺方向）の位置と一致するように形成されている。
【００３３】
壁構造１は、内壁Ｗの表面に、各装飾部材１０（第一装飾部材１１および第二装飾部材１２）を、両面テープや接着材等を介して、貼着することにより構成されている。
なお、装飾部材１０の内壁Ｗへの固定方法は、限定されるものではなく、適宜、公知の方法により行えばよい。
【００３４】
第１の実施形態では、最下段に第一装飾部材１１を３枚並設した後、その上に第二装飾部材１２を２枚並設した段と第一装飾部材１１を３枚並設した段とを交互に積み重ねることで、合計１６段積み重ねて構成されている。なお、壁構造１を構成する装飾部材１０の段数や順番は、これに限定されるものではない。また、必ずしも第一装飾部材１１と第二装飾部材１２を交互に配置する必要はない。また、最下段は第二装飾部材１２の段であってもよい。また、同じ段において、第一装飾部材１１と第二装飾部材１２を並設されてもよいことはいうまでもない。
【００３５】
第１の実施形態に係る装飾部材１０を使用すれば、従来にない独創的な形状を呈しているため、この装飾部材１０が貼着された壁構造１は、斬新的な印象を与え、インテリア空間として新たな価値観を創造する。
【００３６】
装飾部材１０の表面Ａは、曲率半径が４．２ｍの円弧に形成されているため、横方向からの光（例えば、朝夕の斜光や間接照明）に対して、柔らかなグラデーションをかもし出す陰影が生じる。このため、従来のログハウスタイプの曲率の小さな壁材やタイルタイプの壁材等では出すことができなかった、独自の効果を得ることが可能となった。
【００３７】
また、第一装飾部材１１と第二装飾部材１２とを千鳥状に配置することにより、壁構造１の表面に、斬新な陰影を創造することが可能となった。また、個性的な価値観や用途に応じて、各装飾部材１０（第一装飾部材１１、第二装飾部材１２等）の組み合わせ方や並べ方のバリエーションを工夫することも可能である。
【００３８】
また、壁構造１は、壁の表面に曲線による凹凸が形成されているため、優れた音響効果を得ることも可能である。つまり、壁構造１の凹凸により、適切に音を吸収することで、室内の音の反響を制御して、音質を改善することが可能となる。
【００３９】
また、従来の木材を利用した壁構造の装飾部材であって、表面が円弧に形成されたものは、木の断面形状を利用したものが一般的であった。そのため、装飾部材の表面に木目が現れることは少なかった。一方、第１の実施形態に係る装飾部材１０は、表面Ａに長手方向に沿って木目が形成されるように構成されているため、壁構造１として、内壁Ｗの表面に貼着されることで、独特の景観をかもし出すことを可能としている。
【００４０】
また、壁部材１は、所定の形状に形成された装飾部材１０を、内壁Ｗに両面テープや接着剤を介して、貼着することにより完成するため、作業が簡易で施工者の技術力に関わらず、高品質に施工を行うことが可能である。
【００４１】
次に、第２の実施形態について説明する。
第２の実施形態に係る壁構造２は、図４に示すように、建築物の内壁Ｗの表面に複数の装飾部材２０を貼り付けることにより、構成されている。
【００４２】
装飾部材２０は、図５（ａ）に示すように、正面視で、略正方形に形成された、木製の部材である。第２実施形態では、装飾部材２０を構成する材料として、檜からなる無垢材を使用するものとするが、装飾部材２０を構成する材料は限定されるものではなく、例えば、杉、松、楢等、あらゆる木材が使用可能である。また、装飾部材２０は、無垢材に限定されるものではなく、集成材を使用してもよい。
【００４３】
図５（ｂ）および（ｃ）に示すように、装飾部材２０の上下方向および左右方向から臨む横断面形状は、背面Ｂ側が直線であるとともに、表面Ａ側が凸の円弧に形成されている。この円弧の曲率半径は、４．２ｍに構成されている。なお、装飾部材２０は、表面Ａに形成された円弧により、中央における部材厚が、最も厚くなるように形成されている。ここで、装飾部材２０の表面Ａに形成される円弧の曲率半径は、４．２ｍに限定されるものではなく、２ｍ〜６ｍ、好ましくは３ｍ〜５ｍ、より好ましくは４ｍ〜４．５ｍの範囲内で、適宜構成すればよい。
【００４４】
また、第２の実施形態では、装飾部材２０の各辺２０ａの長さが、約３０ｃｍに形成されている。なお、装飾部材２０の形状寸法は、これに限定されるものではない。
【００４５】
壁構造２は、内壁Ｗの表面に、装飾部材２０を、両面テープや接着材等を介して、貼着することにより構成されている。
なお、装飾部材２０の内壁Ｗへの固定方法は、限定されるものではなく、適宜、公知の方法により行えばよい。
【００４６】
第２の実施形態では、内壁Ｗの表面に装飾部材２０を横方向に６列、縦方向に１６段配置することにより壁構造２を構成するものとする。なお、装飾部材２０の枚数はこれに限定されないことはいうまでもなく、内壁Ｗの形状寸法等に応じて適宜設定すればよい。また、第２の実施形態では、装飾部材２０の列と段をあわせるものとしたが、装飾部材２０の配置はこれに限定されるものではなく、例えば、各装飾部材２０を千鳥状に配置してもよい。
【００４７】
第２の実施形態に係る装飾部材２０を使用すれば、従来にない独創的な形状を呈しているため、この装飾部材２０が貼着された壁構造２は、斬新な印象を与え、インテリア空間として新たな価値観を創造する。
【００４８】
この他、第２の実施形態にかかる装飾部材２０およびこの装飾部材２０を利用した壁構造２によれば、第１の実施形態で示した装飾部材１０および壁構造１と同様の効果を得る事が可能である。
【００４９】
以上、本発明について、好適な実施形態の一例を説明した。しかし、本発明は、前記実施形態に限られず、前記の各構成要素については、本発明の趣旨を逸脱しない範囲で、適宜設計変更が可能である。
例えば、装飾部材１０（２０）が貼着されることにより構成される壁構造１（２）は、あらゆる壁を含むものとし、例えば、構造材としての壁や、居住区間を区分けする仕切り壁や、パーティション等も含むものとする。
【００５０】
また、前記各実施形態では、装飾部材１０（第一装飾部材１１および第２の装飾部材１２）と装飾部材２０とをそれぞれ別の内壁Ｗに使用するものとしたが、装飾部材１０と装飾部材２０とを組み合わせて壁構造を構成してもよいことはいうまでもない。
【００５１】
また、前記各実施形態では、内壁Ｗの全面に装飾部材１０（２０）を配置するものとしたが、例えば、手すりの高さに合わせて部分的に配置するなど、装飾部材１０（２０）の配置方法は限定されるものではない。
【００５２】
また、前記各実施形態では、装飾部材１０（２０）の背面Ｂの形状を直線（平坦）に形成するものとしたが、装飾部材１０（２０）の背面Ｂの形状は、これに限定されるものではなく、装飾部材１０（２０）を設置する壁（内壁Ｗ）の表面形状や壁との接着性等を考慮して、適宜設定すればよい。
【００５３】
また装飾部材１０（２０）の表面に形成された円弧は、必ずしも一定の曲率に形成されている必要はなく、２ｍ〜６ｍ、好ましくは３ｍ〜５ｍ、より好ましくは４ｍ〜４．５ｍの範囲内による曲率半径による曲面を組み合わせて形成されていてもよい。
【００５４】
また、各装飾部材１０（２０）の表面Ａに現れる木目の方向は限定されるものではない。
【００５５】
また、前記第１の実施形態では、装飾部材１０の長辺１１ａ，１２ａの長さを１間の１／３程度または１／２程度に構成するものとしたが、装飾部材１０の長辺１１ａ，１２ａの長さはこれに限定されるものではなく、例えば、１間分の長さや壁の幅と同等の長さや半間の１／３程度または１／２程度に構成するなど、壁の幅の長さ等に応じて適宜構成すればよい。また、短辺１１ｂ，１２ｂの長さも限定されるものではなく、壁の形状等に応じて適宜設定すればよい。
【００５６】
また、前記第１の実施形態では、装飾部材１０の長辺１１ａ，１２ａの長さを１間の１／３程度または１／２程度に構成して、内壁Ｗに３枚または２枚並設するものとしたが、例えば、図６に示すように、表面側に複数の凸の円弧１３ａが形成された装飾部材１３を使用することにより、第１の実施形態のように、円弧が１つずつ形成された複数の装飾部材１０を内壁Ｗに設置する手間を省略してもよい。かかる装飾部材１３によれば、円弧１３ａ同士の間に、つなぎ目が形成されないため、肌触りがよく、美観性にも優れている。また、各凸の円弧は、一体の部材に連続して形成されているため、時間の経過とともに生じる装飾部材の収縮などにより、円弧同士の間に隙間が形成されるような不具合が生じることがない。
なお、図６（ａ）および（ｂ）に示す装飾部材１３は、３つの凸の円弧１３ａを形成するものとしたが、装飾部材１３に形成される円弧１３ａの数は、限定されるものではなく、例えば２つでもよい。また、装飾部材１３において、円弧１３ａ同士の間の凹部１３ｂも円弧に形成することで、柔らか味が増し、一層温かみや安らぎを感じることが可能となる。また、装飾部材１３の長辺の長さ（図６（ａ）における左右の長さ）は、例えば１間や半間分の長さに形成する等、当該装飾部材１３が設置される壁の形状に応じて適宜形成されていればよい。また、短辺の長さ（図６（ｂ）における上下の長さ）も限定されるものではない。
【００５７】
また、第１の実施形態において、第一装飾部材１１のみや第二装飾部材１２のみを配置することにより壁構造を構成してもよい。
また、第１の実施形態では、第二装飾部材１２の肉厚の最も厚い部分が、上下の第一装飾部材１１の最も肉厚の厚み部分に応じた位置となるように構成したが、これに限定されるものではなく、第二装飾部材１２の最も肉厚の厚い部分が、第二装飾部材１２の長辺１２ａの長さ方向に対して中央であってもよいことはいうまでもない。
【００５８】
また、第２の実施形態の装飾部材は、上下方向の曲率と、左右方向の曲率が異なった曲率により形成されていてもよい。
【図面の簡単な説明】
【００５９】
【図１】第１の実施形態に係る壁構造を示す斜視図である。
【図２】図１に示す壁構造に使用される第一装飾部材を示す図であって、（ａ）は正面図、（ｂ）は斜視図である。
【図３】図１に示す壁構造に使用される第二装飾部材を示す図であって、（ａ）は正面図、（ｂ）は斜視図である。
【図４】第２の実施形態に係る壁構造を示す斜視図である。
【図５】図４に示す壁構造に使用される装飾部材を示す図であって、（ａ）は正面図、（ｂ）は斜視図、（ｃ）は側面図である。
【図６】第１の実施形態に係る装飾部材の変形例を示す図であって、（ａ）は断面図、（ｂ）は斜視図である。
【符号の説明】
【００６０】
１      壁構造
１０    装飾部材
１１    第一装飾部材
１１ａ  長辺
１１ｂ  短辺
１１ｃ  木目
１２    第二装飾部材
１２ａ  長辺
１２ｂ  短辺
１２ｃ  木目
２      壁構造
２０    装飾部材
Ａ      表面
Ｂ      背面
Ｗ      内壁
【図１】
2008144356.tif 000003
【図２】
2008144356.tif 000004
【図３】
2008144356.tif 000005
【図４】
2008144356.tif 000006
【図５】
2008144356.tif 000007
【図６】
2008144356.tif 000008
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
長辺の長さが、略１間の１／３である第一装飾部材と、長辺の長さが略１間の１／２である第二装飾部材と、を複数壁本体に固定することにより構成され、
前記第一装飾部材を横方向に３枚並べた段と、前記第二装飾部材を横方向に２枚並べた段と、を交互に配置することより千鳥状の凹凸が構成されていることを特徴とする、壁構造。
【請求項２】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
長辺の長さが、略１間の１／４である第一装飾部材と、長辺の長さが略１間の１／３である第二装飾部材と、を複数壁本体に固定することにより構成され、
前記第一装飾部材を横方向に４枚並べた段と、前記第二装飾部材を横方向に３枚並べた段と、を交互に配置することより千鳥状の凹凸が構成されていることを特徴とする、壁構造。
【請求項３】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
長辺の長さが、略１間の１／６である第一装飾部材と、長辺の長さが略１間の１／４である第二装飾部材と、を複数壁本体に固定することにより構成され、
前記第一装飾部材を横方向に６枚並べた段と、前記第二装飾部材を横方向に４枚並べた段と、を交互に配置することより千鳥状の凹凸が構成されていることを特徴とする、壁構造。
【請求項４】
前記第一装飾部材および前記第二装飾部材は、
前記上下方向から臨む横断面形状における部材厚の最も厚い部分が、前記長辺の中心からずれた位置に配置されていることを特徴とする請求項１乃至請求項３に記載の壁構造。
【請求項５】
前記第二装飾部材の上下方向から臨む縦断面形状における部材厚の最も厚い部分の横方向の位置が、該第二装飾部材の上下に配置された前記第一装飾部材の上下方向から臨む縦断面形状における部材厚の最も厚い部分の横方向の位置と一致することを特徴とする、請求項１乃至請求項３に記載の壁構造。
【手続補正３】
【補正対象書類名】明細書
【補正対象項目名】０００１
【補正方法】変更
【補正の内容】
【０００１】
本発明は、建築物の壁等の化粧部材として使用される装飾部材を利用した壁構造に関する。
【手続補正４】
【補正対象書類名】明細書
【補正対象項目名】０００８
【補正方法】変更
【補正の内容】
【０００８】
本発明は、前記従来の装飾部材を用いた壁構造では得ることができなかった、独創的で斬新な印象を与え、安らぎを演出でき、印象の変化を楽しむことができる室内空間を創設することを可能とした壁構造を提案することを課題とする。
なお、本明細書において、「壁」とは、あらゆる壁を含むものとし、例えば、構造材としての壁や、居住区間を区分けする仕切り壁や、パーティション等も含むものとする。
【手続補正５】
【補正対象書類名】明細書
【補正対象項目名】０００９
【補正方法】変更
【補正の内容】
【０００９】
前記課題を解決するために、請求項１に記載の発明は、正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造であって、長辺の長さが、略１間の１／３である第一装飾部材と、長辺の長さが略１間の１／２である第二装飾部材と、を複数壁本体に固定することにより構成され、前記第一装飾部材を横方向に３枚並べた段と、前記第二装飾部材を横方向に２枚並べた段と、を交互に配置することより千鳥状の凹凸が構成されていることを特徴とする。
また、請求項２に記載の発明は、長辺の長さが、略１間の１／４である第一装飾部材と、長辺の長さが略１間の１／３である第二装飾部材と、を複数壁本体に固定することにより構成され、前記第一装飾部材を横方向に４枚並べた段と、前記第二装飾部材を横方向に３枚並べた段と、を交互に配置することより千鳥状の凹凸が構成されていることを特徴とする。
また、請求項３に記載の発明は、長辺の長さが、略１間の１／６である第一装飾部材と、長辺の長さが略１間の１／４である第二装飾部材と、を複数壁本体に固定することにより構成され、前記第一装飾部材を横方向に６枚並べた段と、前記第二装飾部材を横方向に４枚並べた段と、を交互に配置することより千鳥状の凹凸が構成されていることを特徴とする。
【手続補正６】
【補正対象書類名】明細書
【補正対象項目名】００１０
【補正方法】変更
【補正の内容】
【００１０】
かかる壁構造によれば、装飾部材の円弧の曲線半径を比較的大きな３〜５ｍとすることで、独創的で斬新な印象を与え、光と影のコントラストを演出することを可能としている。また、木材により構成されているため、フィトンチッドを多量に含んでおり、装飾部材からの香により居住者が癒される。また、木材の肌触りが居住者の感触にもなじむため、建物全体に使用しなくても、部分的な使用により、居住者に安らぎを与えることが可能となる。
【手続補正７】
【補正対象書類名】明細書
【補正対象項目名】００１１
【補正方法】変更
【補正の内容】
【００１１】
すなわち、曲率半径を、３ｍ〜５ｍの範囲内に設定したことで、曲率半径が数十ｃｍに形成された従来のログハウス風の装飾部材と比較して、例えば、窓からさし込む光により陰影が横方向に沿って濃い部分から薄い部分まで緩やかに変化するため、斬新な印象を与えることができる。また、自然光を利用することで時間帯や季節の移り変わりによる好印象の変化を楽しむことができる。また、なだらかな曲率の曲面構成による安らぎを演出することも可能となる。
また、かかる壁構造は、横方向に並べる第一装飾部材の長辺の長さを略１間の１／３、第二装飾部材の長辺の長さを略１間の１／２に形成し、規格化しておくことにより、壁構造の端面をそろえることが可能となり、施工が容易である。また、横方向に並べる第一装飾部材の長辺の長さを略１間の１／４、第二装飾部材の長辺の長さを略１間の１／３に形成しても同様の効果が得られる。また、横方向に並べる第一装飾部材の長辺の長さを略１間の１／６、第二装飾部材の長辺の長さを略１間の１／４に形成しても同様の効果が得られる。
【手続補正８】
【補正対象書類名】明細書
【補正対象項目名】００１２
【補正方法】変更
【補正の内容】
【００１２】
また、請求項４に記載の発明は、前記第一装飾部材および前記第二装飾部材は、前記上下方向から臨む横断面形状における部材厚の最も厚い部分が、前記長辺の中心からずれた位置に配置されていることを特徴とする。
かかる壁構造は、部材厚の最も厚くなる位置を、部材の中心からずらすことで、より独創的な印象を与える。
【手続補正９】
【補正対象書類名】明細書
【補正対象項目名】００１３
【補正方法】変更
【補正の内容】
【００１３】
請求項５に記載の発明は、前記第二装飾部材の上下方向から臨む縦断面形状における部材厚の最も厚い部分の横方向の位置が、該第二装飾部材の上下に配置された前記第一装飾部材の上下方向から臨む縦断面形状における部材厚の最も厚い部分の横方向の位置と一致することを特徴とする。
【手続補正１０】
【補正対象書類名】明細書
【補正対象項目名】００１４
【補正方法】変更
【補正の内容】
【００１４】
かかる壁構造によれば、第一装飾部材と第二装飾部材に係る部材厚の最も厚い部分の横方向の位置が上下方向で一致しているため、調和のとれた優れた景観をかもし出す。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明の壁構造によれば、従来の装飾部材を用いた壁構造では得ることができなかった、独創的で斬新な印象を与え、安らぎを演出でき、印象の変化を楽しむことができる室内空間を創設することが可能となる。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
前記長辺の長さが前記短辺の長さの２〜１５倍に形成されるとともに、
前記長辺の長さが、略１間の１／３である第一装飾部材と、前記長辺の長さが略１間の１／２である第二装飾部材と、を複数壁本体に固定することにより構成され、
前記第一装飾部材を横方向に３枚並べた段と、前記第二装飾部材を横方向に２枚並べた段と、を交互に配置することより千鳥状の凹凸が構成されていることを特徴とする、壁構造。
【請求項２】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
前記長辺の長さが前記短辺の長さの２〜１５倍に形成されるとともに、
前記長辺の長さが、略１間の１／４である第一装飾部材と、前記長辺の長さが略１間の１／３である第二装飾部材と、を複数壁本体に固定することにより構成され、
前記第一装飾部材を横方向に４枚並べた段と、前記第二装飾部材を横方向に３枚並べた段と、を交互に配置することより千鳥状の凹凸が構成されていることを特徴とする、壁構造。
【請求項３】
正面視で、長辺と短辺とからなる横長の矩形形状に形成されていて、
かつ、上下方向から臨む横断面形状の表面側が凸の円弧、裏面側が平坦に形成され、
前記円弧の曲率半径が、３〜５ｍの範囲内であり、
前記長辺の方向に沿って木目が形成されている木製の無垢材からなる装飾部材を使用した壁構造であって、
前記長辺の長さが前記短辺の長さの２〜１５倍に形成されるとともに、
前記長辺の長さが、略１間の１／６である第一装飾部材と、前記長辺の長さが略１間の１／４である第二装飾部材と、を複数壁本体に固定することにより構成され、
前記第一装飾部材を横方向に６枚並べた段と、前記第二装飾部材を横方向に４枚並べた段と、を交互に配置することより千鳥状の凹凸が構成されていることを特徴とする、壁構造。
【請求項４】
前記第一装飾部材および前記第二装飾部材は、
前記上下方向から臨む横断面形状における部材厚の最も厚い部分が、前記長辺の中心からずれた位置に配置されていることを特徴とする請求項１乃至請求項３に記載の壁構造。
【請求項５】
前記第二装飾部材の上下方向から臨む縦断面形状における部材厚の最も厚い部分の横方向の位置が、該第二装飾部材の上下に配置された前記第一装飾部材の上下方向から臨む縦断面形状における部材厚の最も厚い部分の横方向の位置と一致することを特徴とする、請求項１乃至請求項３に記載の壁構造。
【手続補正２】
【補正対象書類名】明細書
【補正対象項目名】０００９
【補正方法】変更
【補正の内容】
【０００９】
前記課題を解決するために、請求項１に記載の発明は、正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造であって、前記長辺の長さが前記短辺の長さの２〜１５倍に形成されるとともに、前記長辺の長さが、略１間の１／３である第一装飾部材と、前記長辺の長さが略１間の１／２である第二装飾部材と、を複数壁本体に固定することにより構成され、前記第一装飾部材を横方向に３枚並べた段と、前記第二装飾部材を横方向に２枚並べた段と、を交互に配置することより千鳥状の凹凸が構成されていることを特徴とする。
また、請求項２に記載の発明は、正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造であって、前記長辺の長さが前記短辺の長さの２〜１５倍に形成されるとともに、前記長辺の長さが、略１間の１／４である第一装飾部材と、前記長辺の長さが略１間の１／３である第二装飾部材と、を複数壁本体に固定することにより構成され、前記第一装飾部材を横方向に４枚並べた段と、前記第二装飾部材を横方向に３枚並べた段と、を交互に配置することより千鳥状の凹凸が構成されていることを特徴とする。
また、請求項３に記載の発明は、正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造であって、前記長辺の長さが前記短辺の長さの２〜１５倍に形成されるとともに、前記長辺の長さが、略１間の１／６である第一装飾部材と、前記長辺の長さが略１間の１／４である第二装飾部材と、を複数壁本体に固定することにより構成され、前記第一装飾部材を横方向に６枚並べた段と、前記第二装飾部材を横方向に４枚並べた段と、を交互に配置することより千鳥状の凹凸が構成されていることを特徴とする。
【手続補正３】
【補正対象書類名】要約書
【補正対象項目名】全文
【補正方法】変更
【補正の内容】
【要約】
【要約】
【課題】従来の装飾部材では得ることができなかった、独創的で斬新な印象を与える室内空間を創設することを可能とした壁構造を提案する。
【解決手段】正面視で、長辺と短辺とからなる横長の矩形形状に形成されていて、かつ、上下方向から臨む横断面形状の表面側が凸の円弧、裏面側が平坦に形成され、前記円弧の曲率半径が、３〜５ｍの範囲内であり、前記長辺の方向に沿って木目が形成されている木製の無垢材からなる装飾部材を使用した壁構造１であって、前記長辺の長さが短辺の長さの２〜１５倍に形成されるとともに、長辺の長さが、略１間の１／３である第一装飾部材１１と、長辺の長さが略１間の１／２である第二装飾部材１２と、を複数壁本体に固定することにより構成され、前記第一装飾部材を横方向に３枚並べた段と、前記第二装飾部材を横方向に２枚並べた段と、を交互に配置することより千鳥状の凹凸が構成されていることを特徴とする。
【選択図】図１